Podtech/llm-jp-corpus-v4-ja_patent huggingface dataset:
(57)【要約】【課題】  従来のズボン下（股引）は、トランクス、ブリーフ等と違い、腰から足首まで生地が繋がっているため生地自体も重く、激しい運動等の際、特に膝の屈折運動が加わる際に生地が下に引っ張られ、ずり下がってしまうという問題点があった。特にウインタースポーツプレーヤーや、肉体労働者がズボン下（股引）を着用する場合、厚着をしていたり、手袋をしていることが多く、そのような状況で尻下までずり下がってしまったズボン下（股引）を、その都度ずり上げ直すのは大変困難であり、尻下までずり下がってしまったズボン下（股引）のまま運動するのも不快であった。【解決手段】従来のズボン下（股引）に、更にウエストロープ（２）を挿通し、締めることにより、ずり下がりを防止することができる。また、ウエスト前面外側に紐止め具（３）を取り付けることにより、安易にウエストロープ（２）の締め緩めができる。【選択図】図１
2011184845.tif 000002
【特許請求の範囲】
【請求項１】
従来のズボン下（股引）のトンネル状のウエストゴム通し部（５）に、更にウエストロープ（２）をウエスト全周に挿通し、ウエスト前面外側のウエストロープ通し口（４）より取り出したウエストロープ（２）の両端を締めることにより、ずり下がりを防止することができるズボン下（股引）。
【請求項２】
ウエストロープ（２）は、紐止め具（３）付きを特徴とするものである請求項１記載のズボン下（股引）。
【発明の詳細な説明】
【技術分野】
【０００１】    本発明は、ずり下がりの防止とともに、安易なウエスト締め付け強度調整を図ったズボン下（股引）に関する。
【背景技術】
【０００２】  従来のズボン下（股引）には、ウエストゴムにより、ずり下がりの防止を図ったものがある（例えば、非特許文献１参照。）。
【先行技術文献】
【非先行文献】
【０００３】
【非特許文献１】  カタログ「セシール  すてきさろん０９冬号」ｐ．１２８掲載
【発明の概要】
【発明が解決しようとする課題】
【０００４】  以上に述べた従来のズボン下（股引）に見られるＳ・Ｍ・Ｌ等の大まかなサイズ設定のウエストゴムによる、一定の締め付け強度だけでは、適切にウエストにフィットすることも難しく、生地自体の重さや運動等の際に生じる、生地とズボンや肌との摩擦力等には対応できず、どうしてもずり下がってしまうものであった。【０００５】  本発明は、このような従来の問題を解決しようとするものであり、ズボン下（股引）のずり下がり防止とともに、安易なウエスト締め付け強度調整を目的とするものである。
【課題を解決するための手段】
【０００６】  本発明は、上記目的を達成するために、従来のズボン下（股引）のトンネル状のウエストゴム通し部（５）に、更にウエストロープ（２）をウエスト全周に挿通し、ウエスト前面外側のウエストロープ通し口（４）より取り出したウエストロープ（２）の両端を締めるものである。【０００７】  また、第２の課題解決手段は、前記ウエストロープ（２）の両端に紐止め具（３）を取り付けることにより、ウエストロープ（２）を締め緩めすることを特徴とするものである。【０００８】  上記第１の課題解決手段による作用は次の通りである。すなわち、従来のズボン下（股引）のトンネル状のウエストゴム通し部（５）に、更にウエストロープ（２）をウエスト全周に挿通し、ウエスト前面外側のウエストロープ通し口（４）より取り出したウエストロープ（２）の両端を締める事により、ウエスト締め付け強度が増し、ズボン下（股引）のずり下がりを防止することができる。【０００９】  また、第２の解決手段による作用は、前記ウエストロープ（２）の両端に紐止め具（３）を取り付けることにより、状況に応じて安易なウエスト締め付け強度の微調整が可能となり、適切にウエストにフィットし、更にずり下がりを防止することができる。
【発明の効果】
【００１０】  上述したように本発明のズボン下（股引）は、激しい運動等の際も、ずり下がりを防止することができるズボン下（股引）を提供できる。【００１１】  また、紐止め具（３）を使用することにより、状況に応じて安易なウエスト締め付け強度の微調整が可能となり、更に細かいウエストサイズにも適応できるという効果を発揮するものである。【００１２】  ウエスト前面外側のウエストロープ通し口（４）より取り出した、ウエストロープ（２）の両端に、紐止め具（３）を取り付けたことにより、寒冷時等に指先が悴んだり、手先が不自由等でウエストロープ（２）を結んだり解いたりが困難な状況でも、紐止め具（３）により安易にウエストロープ（２）の締め緩めができるため、楽にズボン下（股引）の着脱ができ、トイレ等でのズボン下（股引）の上げ下げも安易にできる。
【図面の簡単な説明】
【００１３】
【図１】  本発明実施形態ズボン下の正面図
【図２】  同ズボン下の背面図
【図３】  同ズボン下のウエスト部分拡大図
【図４】  同ズボン下着用時の紐止め具を締めた状態を示す写真
【図５】  同ズボン下着用時の紐止め具を緩めた状態を示す写真
【図６】  紐止め具の参考図を示す写真平面図
【図７】  紐止め具の参考図を示す写真正面図
【発明を実施するための形態】
【００１４】  以下、本発明の実施の形態を図１〜図７に基づいて説明する。
【実施例】
【００１５】  図１〜図２においては、本発明ズボン下の実施形態を示した。【００１６】  図３においては、ウエスト部分の拡大図を示した。開口したウエストロープの通し口（４）は、紐止め具（３）より小さい方が止まりやすく望ましい。【００１７】  図４〜図５においては、本発明ズボン下（股引）の着用の状態を示した。ウエストロープ（２）の両端は、紐止め具（３）が抜け出ないよう締結し、長さは着脱が簡易にできる長さであれば、特に制限はない。【００１８】  また、ウエストロープ（２）の品質や材質に関しては、紐止め具（３）に自由に挿通せるものであれば、特に制限はない。【００１９】  図６〜図７においては、紐止め具（３）の拡大写真を示した。紐止め具（３）は、合成樹脂製の公知の部品を用いており、内蔵されたバネにより挿通されたウエストロープ（２）が固定され、紐止め具（３）の所定部位を押さえることで固定が解除され、挿通したウエストロープ（２）を自由に移動できるものであれば、特に制限されない。
【符号の説明】
【００２０】  １      ズボン下（股引）
２      ウエストロープ
２ａ    ウエストロープ（両端結び目）
３      紐止め具
４      ウエストロープ通し口
５      トンネル状のウエストゴム通し部
【図１】
2011184845.tif 000003
【図２】
2011184845.tif 000004
【図３】
2011184845.tif 000005
【図４】
2011184845.tif 000006
【図５】
2011184845.tif 000007
【図６】
2011184845.tif 000008
【図７】
2011184845.tif 000009
(57)【要約】【課題】  本発明は従来のＲ１３４ａの代替となるとともに、図１に示すように該Ｒ１３４ａの夏季の高温時に噴射圧力よりも小さくでき、冬季の低温時の噴射圧力よりも大きくできる噴射剤組成物を得るにある。【解決手段】  スプレー缶に充填される、あるいは遊戯用ガスガン内に充填される噴射剤が１２３４ｚｅとＲ３２の混合ガスからなり、前記１２３４ｚｅの重量比率を７０〜９５％にして噴射剤組成物を構成している。【選択図】  図１
2011184585.tif 000002
【特許請求の範囲】
【請求項１】
スプレー缶に充填される、あるいは遊戯用ガスガン内に充填される噴射剤が１２３４ｚｅとＲ３２の混合ガスからなり、前記１２３４ｚｅの重量比率が７０〜９５％でＧＷＰが２００以下であることを特徴とする噴射剤組成物。
【請求項２】
１２３４ｚｅとＲ３２の混合ガスの、１２３４ｚｅの重量比率が９０〜９５％、あるいは９３％でＧＷＰが１００以下であることを特徴とする請求項１記載の噴射剤組成物。
【発明の詳細な説明】
【技術分野】
【０００１】
本発明はスプレー缶や遊戯用ガスガン内に充填されるＲ１３４ａの代替となる噴射剤組成物に関する。
【背景技術】
【０００２】
従来、この種の噴射剤用ガスとしては不燃ガスであるＲ１３４ａが使用されていた。
しかしながら、このＲ１３４ａガスは地球温暖化係数ＧＷＰが１３００で、地球温暖化の観点から、近い将来、使用できなくなると考えられている。
また、一部で炭酸ガスや炭化水素系、ＬＰＧ、ＤＭＥ、Ｒ１５２ａ等が使用されているが、炭酸ガスは高圧であること、炭化水素やその他のガスは燃焼範囲が大きく、安全性に問題があった。
【０００３】
特に、遊戯用ガンの噴射剤としては、現在Ｒ１３４ａやＲ１５２ａ等が使用されている。Ｒ１３４ａの使用時にはスプレー缶より液状のＲ１３４ａを遊戯用ガスガン内に充填し、Ｒ１３４ａが気化する圧力によって弾を噴射させている。
しかしながら、気化圧力は環境温度に依存するため、図1に示すように夏季の高温時には噴射圧力が高くなり、冬季の低温時には噴射圧力が低下するという欠点があった。
【先行技術文献】
【特許文献】
【０００４】
【特許文献１】特表２００９−５３２５２０
【発明の概要】
【発明が解決しようとする課題】
【０００５】
本発明は以上のような従来の欠点に鑑み、従来のＲ１３４ａの代替となるとともに、図１に示すように該Ｒ１３４ａの夏季の高温時に噴射圧力よりも小さくでき、冬季の低温時の噴射圧力よりも大きくできる噴射剤組成物を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明はスプレー缶に充填される、あるいは遊戯用ガスガン内に充填される噴射剤が１２３４ｚｅ（トランス１，３，３，３−テトラフルオロプロペンＨＦＯ−１２３４ｚｅ（Ｅ））とＲ３２の混合ガスからなり、前記１２３４ｚｅの重量比率を７０〜９５％にして噴射剤組成物を構成している。
【発明の効果】
【０００９】
以上の説明から明らかなように、本発明にあっては次に列挙する効果が得られる。
（１）請求項１により、１２３４ｚｅとＲ３２の混合ガスで、かつ１２３４ｚｅの重量比率が７０〜９５％であるので、将来使用できなくなるであろう、従来のＲ１３４ａの代替として使用できるとともに、図１に示すように夏季の高温時には噴射圧力がＲ１３４ａよりも低くなり、冬季の低温時にはＲ１３４ａよりも噴射圧力が高くできる。
【００１０】
したがって、従来のＲ１３４ａよりも性能が優れている。
（２）前記（１） により、地球温暖化係数ＧＷＰを２００以下にでき、Ｒ１３４ａよりも環境負荷を小さくすることができる。
（３）前記（１）により、遊戯用ガスガンに使用することにより、夏季の高温時と冬季の低温時の噴射圧力の差を小さくでき、夏季や冬季でも最適に遊戯用ガスガンを使用することができる。
（４）請求項２も前記（１）〜（３）と同様な効果が得られるとともに、Ｒ１３４ａとほぼ同等の圧力で地球温暖化係数ＧＷＰを１００以下に小さくでき、かつ不燃状態に近づけることができる。
【図面の簡単な説明】
【００１１】
【図１】Ｒ１３４ａ、Ｒ１５２ａおよび本発明の噴射剤組成物の蒸気圧曲線を示す図。
【図２】本発明を実施するための第１の形態の説明図。
【図３】本発明を実施するための第2の形態の説明図。
【図４】Ｒ１３４ａと本発明の噴射剤組成物の物性比較の説明図。
【図５】Ｒ１３４ａと本発明の噴射剤組成物の温度と圧力との関係を示す説明図。
【発明を実施するための形態】
【００１２】
以下、図面に示す本発明を実施するための形態により、本発明を詳細に説明する。
【００１３】
図２に示す本発明を実施するための第１の形態において、（１）は従来のＲ１３４ａの代替として使用することができる本発明の噴射剤組成物で、この噴射剤組成物（１）はスプレー缶（２）あるいは遊戯用ガスガン（３）内に充填される１２３４ｚｅ（４）とＲ３２（５）の混合ガスからなり、前記１２３４ｚｅ（４）の重量比率が７０〜９５％である。
【００１４】
このような噴射剤組成物（１） の１２３４ｚｅ（４）は地球温暖化係数ＧＷＰが６で小さく、微燃性のガスである。一方、Ｒ３２（５） は地球温暖化係数ＧＷＰが５５０、燃焼範囲が１３．６〜２８．４ｖｏｌ％であるので、これらが前記条件で混合されると地球温暖化係数ＧＷＰが２００以下で、不燃状態に近づけることができる。
【００１５】
[発明を実施するための異なる形態]
次に、図３ないし図５に示す本発明を実施するための異なる形態につき説明する。なお、この本発明を実施するための異なる形態の説明に当って、前記本発明を実施するための第１の形態と同一構成部分には同一符号を付して重複する説明を省略する。
【００１６】
図３ないし図５に示す本発明を実施するための第２の形態において、前記本発明を実施するための第１の形態と主に異なる点は、１２３４ｚｅ（４）とＲ３２（５）の混合ガスの、１２３４ｚｅ（４）の重量比率が９０〜９５％、本発明の実施の形態では９３．１%の噴射剤組成物（１Ａ）にした点で、このような噴射剤組成物（１Ａ）とＲ１３４ａとの物性を比較すると、図４に示すようになり、温度による圧力の変化は図５に示すようになった。
【産業上の利用可能性】
【００１７】
本発明はスプレー缶や遊戯用ガスガンに充填される噴射用ガスを製造する産業で利用される。
【符号の説明】
【００１８】
１、１Ａ：噴射剤組成物、    ２：スプレー缶、
３：遊戯用ガスガン、    ４：１２３４ｚｅ、  
５：Ｒ３２。
【図１】
2011184585.tif 000003
【図２】
2011184585.tif 000004
【図３】
2011184585.tif 000005
【図４】
2011184585.tif 000006
【図５】
2011184585.tif 000007
(57)【要約】      （修正有）【課題】理髪室・美容院・ヘア−サロン等での洗髪の際、洗面台に顔を入れた時の鼻につく嫌な匂いを防止し、爽やかな気持ちで洗髪をしてもらう為の香料入りスプレ−の提供。【解決手段】イチゴ・バナナ・オレンジ等の一般の人に好まれる香料を含有した石鹸液を、洗髪の直前に洗面台にスプレ−する。これにより良い香りのする洗面台で晴れ晴れした良い気持ちで洗髪ができる一方で、スプレーした石鹸液により洗面台をも綺麗にできる。【選択図】図１
2011184675.tif 000002
【特許請求の範囲】
【請求項１】
石鹸液に香料入りスプレ−（消臭用）
普通のスプレ−の中に、香のある（イチゴ・バナナ・オレンジ等）石鹸液で、一般の人の好まれる香のスプレ−。
【請求項２】
香については、男性用の、ヘヤ−スプレ−・又、女性用化粧水・香水も良い。
【請求項３】
発明が解決しょうとする課題、主に、理容室・理容院・ヘア−サロンで洗髪の時に使用をする、スプレ−手洗い等に使用することも可能である。
【請求項４】
本体には、詰め替え用あり。
【発明の詳細な説明】
【発明の詳細な説明】
【発明が解決しようとする課題】
理容室で、頭を刈り、顔を剃り、次に、前の洗面台の洗面で、洗髪する、その時、顔を洗面台に入れ洗髪してもらう、顔を入れた時洗面台の匂いが鼻につく、嫌な匂い、その洗面台は、何時も変な匂いがする、匂い防止スプレ−（消臭）が必要。
【課題解決するための手段】
発明の、石鹸液に香料入りスプレ−で、洗髪する、直前に洗面台にスプレ−する、そして、良い香のする洗面台に顔を入れ、洗髪して貰う、変んな匂いが無く香水の匂いで晴れ晴れした気持ち良い出来上がり、スプレ−には、石鹸液があるので洗面台も綺麗になる。一石二鳥。
【発明の効果】
散髪し、洗髪時に嫌な匂い無く出来、整髪して貰い爽やか最高な気持ちで気分よく帰ってもらえる、お客は倍増。
【図面の簡単な説明】
【図１】  本発明の石鹸液に香料入りスプレ−（消臭用）
【図１】
2011184675.tif 000003
(57)【要約】【課題】  安定した燃焼を行なえて分離しにくく泡の少ないエマルジョン燃料燃料を自動製造できる、コンパクト、シンプルかつ安価で十分な撹拌能力を持つ小型の装置を提供する。【解決手段】  エマルジョン化のために撹拌力の弱い液中渦巻ポンプを撹拌ポンプ１とし、撹拌タンク２から重力でストレージタンク８に搬送可能とし、燃料と添加剤の撹拌さらに水を加えた後の撹拌およびその前後で自由にタイミングを変更可能な自動制御装置を設ける。【選択図】図１
2011184674.tif 000002
【特許請求の範囲】
【請求項１】
エマルジョン化のために液中渦巻ポンプを撹拌ポンプ（１）とし、撹拌タンク（２）から重力でストレージタンク（８）に搬送可能とし、燃料と添加剤の撹拌さらに水を加えた後の撹拌およびその前後で自由にタイミングを変更可能な自動制御装置を備えたエマルジョン燃料製造装置。
【発明の詳細な説明】
【技術分野】
【０００１】  本発明は、エマルジョン燃料製造装置に関するものである。
【背景技術】
【０００２】  石油価格の暴騰により、エネルギコストの比率の高い漁業、ハウス栽培のような農業、温浴施設、運輸業等は大きな打撃を受けた。  エマルジョン燃料は一次オイルショック以来の歴史があるが、今まで燃料としての確固たる地位を確立できなかった主な理由として、燃焼理論が確立していないことや種々の添加剤や製造装置の撹拌技術の問題で燃料が質的に安定せず、その結果安定燃焼しなかったり短期間で分離するという問題が発生したことが挙げられる。  エマルジョン燃料は重油、軽油あるいは灯油のような石油系燃料に添加剤とともに数十％の水を混ぜ、撹拌しエマルジョン化して製造するが、適当な撹拌を行いエマルジョン化しないと安定燃焼しなかったり、短期間で分離したりする。  添加剤や水、油の種類等により種々のエマルジョンがあり、製造方法も異なる。  装置としては、従来は高価で高性能のミキサを使用するのが一般的であった。  しかし、燃料使用量が少ない場合高価な装置では導入できない場合が多く、普及しているとは言い難い。  また、品質の点でも容量の大き過ぎる装置で作り置くと経時変化が起こる場合があり、製造しながら消費していくのが好ましい。  そのためには、シンプルでコンパクトかつ安価な装置が必要である。  撹拌力の強いカスケードポンプによる撹拌は有効な場合が多いが、泡の発生を伴う場合が多かったり油によってはうまくエマルジョン化ができない場合がある。  必ずしも強い撹拌力がよいとは言えない。
【発明の開示】
【発明が解決しようとする課題】
【０００３】  油、添加剤および水の３種類の液体を供給し、撹拌混合しエマルジョン化する工程で、簡単、コンパクトかつ安価な装置により、撹拌能力の低い安価な液中渦巻ポンプでゆっくり時間をかけて泡の発生を押えつつ、フレキシブルに対応できるようにし十分なエマルジョン化を可能にする。  燃料消費量に近い量のエマルジョン燃料を無人で製造し、作り置きをしない小型のエマルジョン燃料製造装置を提供する。
【課題を解決するための手段】
【０００４】  図１に本発明の概念的な系統図を示す。  撹拌ポンプ１は撹拌力の弱い液中渦巻ポンプで、泡の発生を抑えつつゆるやかに時間をかけてエマルジョン化を行う。  主原料の油は油供給電動弁（３）を開き撹拌タンク２に供給し、水は水道から水供給電磁弁（４）を経由し撹拌タンク２へ、添加剤は添加剤タンク（５）から添加剤ポンプ（６）で撹拌タンク２に供給する。  油と添加剤を供給しレベルセンサ（９）で所定量入れると停止し、撹拌ポンプ１で撹拌しエマルジョン化した後、水を加えレベルセンサ９で所定量入れると停止し、さらに撹拌しエマルジョン化し出来上がったエマルジョン燃料は、レベルスイッチ（１０）により液面を判断し、可能ならば撹拌タンク２から排出電動弁（７）を開けてストレージタンク８に排出するが、図示しない制御装置で自動化する。  撹拌ポンプ１は液中ポンプなので配管の必要もなく、できあがったエマルジョン燃料は位置エネルギで撹拌タンク２からストレージタンク８に搬送するので、ポンプ不要になりシンプルで安価になる。
【発明の効果】
【０００５】  システムがシンプルでコンパクトかつ安価な装置で、燃料使用量の少ない場合に作り置きしないでタイムリーに、泡の少ない良好で安定した燃焼が行なえる良質のエマルジョン燃料が製造できるので普及しやすい。
【発明を実施するための最良の形態】
【０００６】  図１の系統図に基づき説明する。  主原料の油は油供給電動弁３を開くことにより、また添加剤は添加剤タンク５から添加剤ポンプ６で供給された添加剤を設定量油より短時間で、撹拌タンク２に供給する。  レベルセンサ９で設定したレベルを検出すると油の供給は終了し、設定時間になると撹拌ポンプ１を運転し所定時間中間撹拌を行ない、油と添加剤をエマルジョン化する。  次に水供給電磁弁４を開きレベルセンサ９の設定値まで水を供給する。  設定時間になると撹拌ポンプ１を再び運転し所定時間撹拌し、エマルジョン燃料を作り終えて待機する。  レベルスイッチ１０でストレージタンク８のレベルを判断し、設定値以下で可能であれば排出電動弁７を開き搬送する。  所定の時間を経過すると次のサイクルが可能になる。
【実施例１】
【０００７】  前項最良の形態で説明しているが、図１は小型のエマルジョン燃料製造装置の場合で、水、添加剤あるいは油の種類によって混合比率は異なるが、油は図示しない上流のタンクから油供給電動弁３を開き、添加剤は添加剤タンク５から添加剤ポンプ６で設定量油より早めに撹拌タンク２に供給する。  超音波センサのようなレベルセンサ９で設定したレベルになると油と添加剤の供給は終了し、設定時間になると液中渦巻ポンプの撹拌ポンプ１を運転し設定時間中間撹拌を行ない、まず油と添加剤をエマルジョン化する。  次に水供給電磁弁４を開きレベルセンサ９の設定値まで水を供給するが、設定時間になると撹拌ポンプ１を再び運転し所定時間撹拌しエマルジョン燃料は出来上がる。  光電スイッチのようなレベルスイッチ１０でストレージタンク８のレベルを判断し、可能であれば排出電動弁７を開き搬送する。  所定の時間を経過すると次のバッチを製造可能になる。  図示しないポンプでストレージタンク８から下流の例えばボイラにエマルジョン燃料を供給する。
【産業上の利用可能性】
【０００８】  この発明の装置はシステムもシンプルでコンパクトなので安価に製造でき、特に小型の場合には有効で、省エネと同時に二酸化炭素、窒素酸化物、硫黄酸化物等の排出量の大幅削減に貢献できるので、実施性が高く普及しやすいと考える。
【図面の簡単な説明】
【０００９】
【図１】  本発明の概念的な系統図である。
【符号の説明】
【００１０】      １  撹拌ポンプ
２  撹拌タンク
３  油供給電動弁
４  水供給電磁弁
５  添加剤タンク
６  添加剤ポンプ
７  排出電動弁
８  ストレージタンク
９  レベルセンサ
１０  レベルスイッチ
【図１】
2011184674.tif 000003
(57)【要約】      （修正有）【課題】高機能の濾過処理を効率よく行うことができる使用済み食用油の製造装置の提供。【解決手段】粗目濾面材により比較的大きな混入物を濾す回収槽１と、該回収槽で濾過された食用油を吸引するポンプ２と、該ポンプにより送油管２ｂを経由して送り込まれた食用油を、内部に充填した濾過材３ｂにより濾過処理する濾過タンク３とから構成される。粗目濾面材の下部に濾紙を設け、濾過材および／または濾紙が竹濾紙を素材とすることを特徴とする。【選択図】図１
2011184657.tif 000002
【特許請求の範囲】
【請求項１】
使用済みの食用油を回収して、粗目濾面材により比較的大きな混入物を濾す回収槽と、該回収槽で濾過された食用油を吸引するポンプと、該ポンプにより送り込まれた食用油を、内部に充填した濾過材により濾過処理する濾過タンクと、から構成されることを特徴とする食用油の製造装置。
【請求項２】
上記粗目濾面材の下部に、濾紙を設けることを特徴とする請求項１に記載の食用油の製造装置。
【請求項３】
上記濾過材および／または濾紙が、竹濾紙を素材とすることを特徴とする請求項１または２に記載の食用油の製造装置。
【請求項４】
上記竹濾紙に天然アパタイトを混入することを特徴とする請求項３に記載の食用油の製造装置。
【発明の詳細な説明】
【技術分野】
【０００１】
本発明は、食用油の濾過装置、特に竹を主原料とする竹濾材による濾過装置に関するものである。
【背景技術】
【０００２】
従来の食用油の濾過装置としては、フライヤーの下部に油受けタンクを設けて、該タンク内に金属製濾網、濾紙、濾布などを重ねて重合濾過構造体を取り外し可能に設け、該重合濾過構造体を濾過した調理油を吸入ポンプにより吸い出して、上記フライヤーのオイルパンに戻すものあった。
しかしながら、上記従来の濾過装置では、使用済みの食用油を酸化防止処理したり、脱臭脱色処理したり、更にイオン交換が行えず、高機能の濾過処理が出来なかった。
【先行技術文献】
【特許文献】
【０００３】
【特許文献１】特開２００４−２６７４３２号公開特許公報
【発明の概要】
【発明が解決しようとする課題】
【０００４】
本発明は、使用済みの食用油を、酸化防止処理したり、脱臭脱色処理したり、更にイオン交換等の高機能の濾過処理を効率よく行うことができる食用油の製造装置を提供することを目的とする。
【課題を解決するための手段】
【０００５】
本発明の食用油の製造装置は、使用済みの食用油を回収して、粗目濾面材により比較的大きな混入物を濾す回収槽と、該回収槽で濾過された食用油を吸引するポンプと、該ポンプにより送り込まれた食用油を、内部に充填した濾過材により濾過処理する濾過タンクと、から構成されることを特徴とする。また、上記粗目濾面材の下部に、濾紙を設けることを特徴とする。さらに、上記濾過材および／または濾紙が、竹濾紙を素材とすることを特徴とする。又更に、該竹濾紙に天然アパタイトを混入することを特徴とする。
【発明の効果】
【０００６】
本発明の食用油の製造装置は、使用済みの食用油を、酸化防止処理したり、脱臭脱色処理したり、更にイオン交換等の高機能の濾過処理を効率よく行うことができる。
【図面の簡単な説明】
【０００７】
【図１】本発明の食用油の濾過装置一実施例を示す側断面図である。
【図２】図１の濾過装置の平面図である。
【図３】図１の濾過装置のア−ア断面図である。
【発明を実施するための形態】
【０００８】
以下、本発明の食用油の製造装置の実施例について、図面を参照しながら説明する。
【実施例】
【０００９】
図１〜図３において、１は回収槽、２はポンプ、３は濾過タンクである。
【００１０】
上記回収槽１は、フライヤーなどからの使用済みの食用油を回収するもので、その上部位置に、金属網などの粗目濾面材１ａがほぼ水平に設置されていて、フライヤーなどから出る揚げ滓などの比較的大きな混入物を濾すようになっている。該粗目濾面材１ａは、横方向にスライドさせて、回収槽１から出し入れできるように構成してもよい。
【００１１】
上記粗目濾面材１ａの下部には、必要に応じて濾紙１ｂを設けることができる。該濾紙１ｂは、上層から下層に濾紙１ｂの目の荒さが細かくなるように、複数枚配置してもよい。該濾紙１ｂも横から取り出すことができるようにしてもよい。上記粗目濾面材１ａおよび濾紙１ｂにより濾過された食用油は、回収槽１に貯留される。
【００１２】
上記濾紙１ｂは、繊維あるいは合成繊維から成る濾紙でもよいが、竹濾紙が好ましい。竹濾紙１ｂは、竹繊維を漉いて和紙を製造する方法で製造するが、その製法の詳細は、特願２０１０−５２６１６に開示されている。該竹濾紙１ｂには、天然アパタイトの粒や粉末を混入してもよい。該竹濾紙１ｂの厚みとしては、０．２〜２０ｍｍが好ましいが、これに限定するものではない。
【００１３】
回収槽１に貯留されている食用油は、上記ポンプ２により吸引管２ａおよび送油管２ｂを通じて、上記濾過タンク３の下部に供給される。該濾過タンク３は、円筒状の耐圧容器であって、その内部には、上下にパンチング板などの穴あき保持板３ａが配設されている。上下の穴あき保持板３ａ間には、濾過材３ｂが充填されている。
【００１４】
上記濾過材３ｂは、繊維あるいは合成繊維から成る濾紙を、例えば５〜５０ｍｍ程度の直径の団子状（球体）にしたり、例えば直径５ｍｍ以上、高さ５ｍｍ以上のロール状に捲いたものでもよいが、上述のように竹繊維を素材とした、竹濾紙を団子状（球体）にしたり、ロール状に捲いたものを充填するのが好ましい。大小の濾過材３ｂを混在させて、大きな濾材の隙間に小さな濾材を入れて充填密度を高めるようにしてもよい。ロール状の濾材は、濾過タンク３の内径や高さに合わせた直径や高さにしてもよい。濾過材３ｂには、天然アパタイトの粒や粉末を混入したり、ロールの間に挟んでもよい。
【００１５】
上記濾過タンク３により濾過された食用油は、フヤイヤーなどに戻される。
【符号の説明】
【００１６】
１    回収槽
１ａ  粗目濾面材
１ｂ  濾紙
２    ポンプ
２ａ  吸引管
２ｂ  送油管
３    濾過タンク
３ａ  保持板
３ｂ  濾過材
【図１】
2011184657.tif 000003
【図２】
2011184657.tif 000004
【図３】
2011184657.tif 000005
(57)【要約】【課題】  台所シンク排水口の籠を網にすることで、籠洗浄の手間を省ける効果や、ディスポーザー方式には、下水浄化負担が増える等の、多くの改善余地がある。  台所シンク排水口の籠の洗浄の手間・堆肥化に因るゴミ減量・鳥のゴミ襲撃防止・生ゴミの燃えるゴミ化削減に因る地球温暖化防止等。【解決手段】  野菜を買ったときの網を捨てないで、当該籠の代用として、本件発明に因るステンレス製バネで当該排水口に固定する事で当該籠の洗浄の手間を省き、ゴミとして当該網に溜めずに別容器に溜めて堆肥化して鳥襲撃防止を計り、緑化促進して炭酸ガスを吸収させて循環型社会を構築する事で解決する一方、ディスポーザー方式は、下水処理の負担軽減の観点から、当該発明方式に即刻変更すべきものと考える。【選択図】図１
2011184195.tif 000002
【特許請求の範囲】
【請求項１】
台所シンクの排水口の籠（かご）を、一般青果店で野菜を入れて販売している又は、そのような袋状の網とし、食後の食器洗浄で出る細かな食べ物の付着物のみをこの網で漉しとり、調理時の野菜の切り屑に類するゴミや、食器洗浄時の食べ残し類は、この網に収納しないものとする。
【請求項２】
この網をシンク排水口に取付けるステンレス製バネは、円形の一部を切欠いた部分の両端を円のほぼ中心に向かって折曲げたものとし、この折曲げ部分を親指と人差指で挟んで縮ませて、当該網を排水口に取付けるものとする。
【発明の詳細な説明】
【技術分野】
【０００１】  この発明は、台所シンク排水口に、通常、青果店で野菜を入れて販売している網を流用する事で、当該発明前の籠に付着するぬめりや悪臭の発生を防いだり、籠洗浄の手間を省くついでに、排水口の脱臭と、籠に溜めたゴミの堆肥化に因るゴミ減量や、この堆肥で育てた植木類で炭酸ガスを吸わせたり、生ゴミ減量に因る無駄な燃焼ガスの発生を抑えて地球温暖化防止に寄与させる循環型社会構築の為の技術や、生ゴミをディスポーザーで細断して発酵させたものを下水に流して水質浄化負担を倍加させている現実を正す方法に関するものである。
【背景技術】
【０００２】  従来は、台所シンク排水口には、樹脂製や、ステンレス製の籠にスリットや、小さな穴を明けたものを併用しているのが通例で、その為、不潔なぬめりで悪臭発生の源となり、一一籠の洗浄を要するのみならず、調理時の野菜の切り屑や、食後の食器に載せた食べ残し等のゴミに類する物を、当該籠に一切合切溜めるように設計した排水口が一般的であった、一方、生ゴミをディスポーザーで細断して発酵させたものを下水に流して水質浄化負担を倍加させているのが一般的である。
【発明の開示】
【発明が解決しようとする課題】
【０００３】イ．店で青果を入れていた網は、通常、ゴミとして捨てる為、ゴミが増える要因だった。
ロ．排水口の籠にはぬめりが付着し、悪臭の原因になり、洗浄の手間を要していた。
ハ．自治体のゴミ減量要請や、鳥襲撃防止策を地域毎に対策させられていた。
ニ．市販例として、ビニール袋を当該籠に被せてゴミとして捨てるよう勧める商法は、時    代の要請に合わない。
ホ．ディスポーザーで生野菜の切り屑を細断して下水に流す方法は、浄化の負荷増となる    。
【課題を解決する為の手段】
【０００４】  店で青果を入れていた網を転用して、ステンレス製のバネで排水口に固定した上から、今まで使っていた蓋を被せておくと、悪臭の発生を抑えられるので、脱臭剤を特段必要としない。網の交換時期は、排水の流れが悪くなり出した時で判断でき、当該バネ毎外して太陽光で消毒乾燥させて次の使用に備える。２セット目のバネと網で使い廻しする。
【発明の効果】
【０００５】  本発明により、籠洗浄の手間を省けたり、ゴミ減量や、鳥の襲撃によるゴミの散乱を防げたり、炭酸ガスの吸収機会を増やせた効果は大きいし、ディスポーザー式の場合の下水の浄化負荷軽減の効果も大きい。
【発明を実施する為の最良の形態】
【０００６】  以下、本発明の最良の実施形態を説明する。
イ．バネ力的には、線径３ｍｍのステンレス製バネを、口径１５ｃｍの排水口に、親指と    人差指に挟んで網を固定できるように成形する。
ロ．バネと網の組み合わせた物を２セット用意しておき、これらを使い廻しする。
ハ．バネと網の組み合わせた物を排水口にセットしたあと、その上から従来使っていた蓋    を被せておくと、脱臭剤が無くても悪臭が漂わ無い。
ニ．排水の流れが悪くなり出した頃を見計らって、２セット目と交換する。
ホ．今迄使っていた方は、その儘排水口から外して、水の滴りを受け皿で防ぎながら、ベ    ランダで太陽光を当てて乾燥させ殺菌する。
ヘ．乾燥してパラパラと落ちる汚物は植木の堆肥とし、網から外れ難い汚物は、網毎水に    暫く漬けておくと、網から剥し易くなり、ある程度きれいになると、次の使用に間に    合わせられるよう２セット目として待機させておく。
ト．網を洗った後の汚れた水は、下水に流すのは厳禁で、植木等の堆肥として処理する。
【産業上の利用可能性】
【０００７】  生ゴミの全面的な堆肥への転用は、循環型社会構築の為の技術として時代の要請に合致させ得る点で素晴しい発明と言え、大いに実社会に貢献させるべきものと考える。
【図面の簡単な説明】
【０００８】
【図１】網をバネで排水口に固定した外観図。
【図２】バネの外観図。
【符号の説明】
【０００９】    （１）  網
（２）  バネ
（３）  排水口
【図１】
2011184195.tif 000003
【図２】
2011184195.tif 000004
(57)【要約】【課題】  従来の顆粒状物をその入れ物から容器へそそぐ場合には、スプーン等を使うか、直接入れ物の口からから慎重に手でこまめに揺すり、顆粒状物の出具合を調整しながら容器にそそいでいた。このため、直接顆粒状物の入れ物の口から容器にそそぐ時には、顆粒状物の量をそそぎ過ぎることもあり、いつもこのような事のないように余計な神経と技術を必要としていた。【解決手段】顆粒状物入れ物の密閉シールにあらかじめ、そそぎ口を表示し、表示に沿って密閉シールを開封することにより、そそぎ口部分の開口面積を狭くし、余計な量の顆粒状物がそそぎ口まわりから外に流れ出ないようにする事で顆粒状物をコントロールしやすくして、手で容器にそそぎ易くした。また、スプーン等で顆粒状物を容器にそそぐ事もできるように、上部開口面積を広くしてある。【選択図】図１
2011184101.tif 000002
【特許請求の範囲】
【請求項１】
（イ）顆粒状物入れ物の密閉シールに表示する。
（ロ）顆粒状物入れ物から顆粒状物を容器にそそぐため、そそぎ口部分を狭くした開封表示がある。
（ハ）開封表示にそって密閉シールを開封することにより簡単に顆粒状物がそそげる。
（ニ）開封表示にはスプーン等を使っても容器にそそげるような広さもある。
以上の構成よりなるそそぎ口表示。
【発明の詳細な説明】
【技術分野】
【０００１】  本発明は、顆粒状物を簡単に容器にそそぐ口の表示に関する。
【背景技術】
【０００２】  従来の顆粒状物をその入れ物から容器にそそぐ方法では、スプーン等ですくってそそぐか、直接入れ物の口から慎重に手でこまめに揺すり顆粒状物の出具合を調整しながら容器にそそいでいた。
【発明の概要】
【発明が解決しようとする課題】
【０００３】  従来の顆粒状物をその入れ物から容器へそそぐ場合には、スプーン等を使うか、直接入れ物の口からから慎重に手でこまめに揺すり、顆粒状物の出具合を調整しながら容器にそそいでいた。このため、直接顆粒状物の入れ物の口からそそぐ時には、顆粒状物の量をそそぎ過ぎることもあり、いつもこのような事のないように余計な神経と技術を必要としていた。【０００４】  本発明は、このような従来の問題を解決しようとするものであり、スプーン等を使わず顆粒状物をその入れ物から直接容器にそそぐことを容易にし、手軽に顆粒状物をそそぎやすくすることを目的とするものである。
【課題を解決するための手段】
【０００５】  そして、本発明は上記目的を達成するために、顆粒状物入れ物の密閉シールにあらかじめそそぎ口を表示し、表示にそって密閉シールを開封することにより、そそぎ口部分の開口面積を狭くし、余計な量の顆粒状物がそそぎ口まわりから外に流れ出ないようにコントロールしやすくして、手でそそぎ易くしたものである。【０００６】  また、スプーン等で顆粒状物をそそぐ事もできるように、顆粒状物入れ物の密閉シールのそそぎ口表示には上部側の開口面積を広くしてある。
【発明の効果】
【０００７】  上記したように本発明のそそぎ口表示は、表示にそって密閉シールを開封することにより、顆粒状物入れ物から手で容易に容器にそそぐ事ができるようになり、余計な量の顆粒状物をそそぐ心配が無く効率よく顆粒状物を利用することができる。【０００８】  また、従来通りスプーン等で顆粒状物を入れ物から容器にそそぐ事もできるため、使い易さを発揮するものである。【０００９】  顆粒状物を入れ物から手で容器にそそぐ事が容易になり、顆粒状物の利用促進に効果を発揮するものである。
【図面の簡単な説明】
【００１０】
【図１】  本発明のそそぎ口表示の図
【図２】  開封後の図
【発明を実施するための形態】
【００１１】  以下、本発明の実施形態を図１に基づいて説明する。
【００１２】  図においては、１は顆粒状物入れ物の密閉シールのそそぎ口開封表示で、そそぎ口部分を狭くし、また、スプーン等を使ってもそそげる広さも確保している。
【符号の説明】
【００１３】  １  そそぎ口開封表示
２  密閉シール
３  開封後に残る密閉シール
４  開封後に無くなる密閉シール
【図１】
2011184101.tif 000003
【図２】
2011184101.tif 000004
【手続補正書】
【提出日】平成22年4月26日(2010.4.26)
【手続補正１】
【補正対象書類名】図面
【補正対象項目名】全図
【補正方法】変更
【補正の内容】
【図１】
2011184101.tif 000005
【図２】
2011184101.tif 000006
(57)【要約】【課題】本発明は、流水域に存在する堆積物を利用して堤防の嵩上げを図る方法の提案にある。【解決手段】本発明は、空隙を形成可能なブロックを堤防の後背部より開始し、堤防の上部を覆うまで積み上げることでブロック芯を形成し、堤防の後背部の最外部に対応する前記ブロック芯を壁面で覆い、流水側よりコンクリート壁を立ち上げ堤防の流水側およびブロック芯の流水側を保護し、ブロック芯の空隙部に流水域からの堆積物を流し込む堤防の嵩上げ方法である。堆積物を使用することができるよう、ブロックで芯を形成して嵩上げ部分の強度を維持し、かつ堆積物をブロック芯の空間部に充填できるようにした。【選択図】図１
2011122373.tif 000002
【特許請求の範囲】
【請求項１】
ブロックを堤防の後背部より開始し、堤防の上部を覆うまで積み上げることでブロック芯を形成し、堤防の後背部の最外部に対応する前記ブロック芯を壁面で覆い、流水側よりコンクリート壁を立ち上げ堤防の流水側およびブロック芯の流水側を保護し、ブロック芯の空隙部に流水域からの堆積物を流し込む堤防の嵩上げ方法。
【発明の詳細な説明】
【技術分野】
【０００１】
本発明は、堤防の嵩上げ技術に属する。
【背景技術】
【０００２】
水害の被害を防止する手段の一つとして堤防の嵩上げがある。堤防の嵩上げは堤防上に土盛りして嵩上げあるいは堤防上にコンクリートの擁壁を設けるなどしている、例えば特開2008-190200にはコンクリートの擁壁が開示されている。
また、流水域を掘削して深くするあるいは広げることで洪水時の増大した水量を処理することが実施されている。
堤防の嵩上げおよび流水域の拡大を同時に実施する方法が求められている。
【先行技術文献】
【特許文献】
【０００３】
【特許文献１】特開2008-190200
【発明の開示】
【発明が解決しようとする課題】
【０００４】
本発明は、流水域に存在する堆積物を利用して堤防の嵩上げを図る方法の提案にある。
【課題を解決するための手段】
【０００５】
本発明は、ブロックを堤防の後背部より開始し、堤防の上部を覆うまで積み上げることでブロック芯を形成し、堤防の後背部の最外部に対応する前記ブロック芯を壁面で覆い、流水側よりコンクリート壁を立ち上げ堤防の流水側およびブロック芯の流水側を保護し、ブロック芯の空隙部に流水域からの堆積物を流し込む堤防の嵩上げ方法である。
ブロックで芯を形成することで嵩上げ部分の強度を維持し、かつ堆積物をブロック芯の空隙部に充填できるようにした。
【発明の効果】
【０００６】
本発明は、流水に面する部分はコンクリート面とし、堤防の後背部から堤防上にかけてブロック芯を構築したため、ブロック芯による強度があり、かつ、ブロック芯の空隙部に流水域の堆積物を充填できるため、堤防の嵩上げと流水域が拡大とで、洪水対策に有効となる。
【図面の簡単な説明】
【０００７】
【図１】は、本発明によって嵩上げされた堤防の概念図である。
【図２】は、堤防の嵩上げ手順を示す概念図である。
【図３】は、ブロックの例１と積み上げた状態を示す概念図である。
【図４】は、ブロックの例２と積み上げた状態を示す概念図である。
【発明を実施するための形態】
【０００８】
以下、本第１の発明を図によって、より詳細に説明する。
図１に示すように本発明の嵩上げされた堤防は、既存の堤防の背後から堤防上にまで設けられたブロック芯と、ブロック芯の空隙部に流し込まれた堆積物からなる。ブロック芯の両側はそれぞれ堆積物が外に流出しないよう壁とコンクリートによる擁壁で保護されている。堤防の後背部は堆積物の流出を防止できれば十分なので簡易な壁となっており、流水側はコンクリートの擁壁とし既存の堤防部も覆っている。
【０００９】
図２は、ブロック芯の形成手順を図2ａから図2ｃの順に示している。例えば図３、図４に示すようなブロックを堤防の後背部より堤防の斜面に接する場所では、土砂を堤防斜面とブロックの間に充填し、ブロックが水平に積み上げられるようにする。堤防の上部まで覆うように積み上げる。ブロック間の接続を強固にするため適宜ブロック間を継ぎ手により接続することが好ましい。
【００１０】
ブロックを堤防上まで積み上げた後、予定するコンクリート擁壁との隙間に土砂を充填し、既存の堤防面を含めて図１に示すようにコンクリート擁壁で覆うことでブロック芯を保護する。ブロックの最後背部も壁材で覆い、コンクリート擁壁とともにブロック芯の周りを閉鎖する。壁はコンクリート擁壁でもよいが強度を要求されないため堆積物を充填するとき漏れて流出しない程度のものでよい。
【００１１】
ブロック芯の空隙部に、流水域に存在する堆積物を、ポンプなどを用いて流し込む。空間部に十分堆積物が充填されるまで本操作を複数回繰り返えすことが好ましい。
【００１２】
図３、図４は本発明に使用するブロックの例を示す概念図である。基本的には雨水の流出抑制用に使用される帯水材が使用可能である。図３ａ、図４ａはブロック単体を示し、図３ｂ、図４ｂはそれぞれのブロックを積み上げた状態を示している。
【００１３】
ブロックの材質は金属製、ポリプロピレン、ポリエチレンなどのポリオレフィンなどの熱可塑性樹脂が使用可能である。
【産業上の利用可能性】
【００１４】
堤防の嵩上げに利用できる。
【符号の説明】
【００１５】
１  ブロック
２  ブロック芯
３  壁
４  コンクリート擁壁
５  堤防
６  流水域
【図１】
2011122373.tif 000003
【図２】
2011122373.tif 000004
【図３】
2011122373.tif 000005
【図４】
2011122373.tif 000006
(57)【要約】【課題】      複数の貯水タンクを有する地域に降雨した雨水を多少にかかわらず効率よく集水できる集水システムを提供する【解決手段】  上記課題は、各戸の屋根や路面等から水処理設備の大型貯留タンクに雨水を集水する集水システムにおいて、その途中に中継タンクと、中継タンクから大型貯留タンクに送水するポンプを設けるとともに、前記中継タンクに、タンク内の水位を検知し、それが任意に設定された上限値に到達した際に、前記ポンプの起動信号を前記ポンプの制御装置に送信する、および／または、それが任意に設定された下限値に到達した際に、前記ポンプの停止信号を前記ポンプの制御装置に送信する水位センサーを設け、かつ、大型貯留タンクに、タンク内の水位を検知し、それが任意に設定された上限値に到達した際に、前記ポンプの停止信号を前記ポンプの制御装置に送信する水位センサーを設けたことを特徴とする雨水集水システムによって解決される。【選択図】        図１
2011122348.tif 000002
【特許請求の範囲】
【請求項１】
各戸の屋根や路面等から水処理設備の大型貯留タンクに雨水を集水する集水システムにおいて、その途中に中継タンクと、前記中継タンクから前記大型貯留タンクに送水するポンプを設けるとともに、前記中継タンクに、タンク内の水位を検知し、それが任意に設定された上限値に到達した際に、前記ポンプの起動信号を前記ポンプの制御装置に送信する、および／または、それが任意に設定された下限値に到達した際に、前記ポンプの停止信号を前記ポンプの制御装置に送信する水位センサーを設け、かつ、大型貯留タンクに、タンク内の水位を検知し、それが任意に設定された上限値に到達した際に、前記ポンプの停止信号を前記ポンプの制御装置に送信する水位センサーを設けたことを特徴とする雨水集水システム
【発明の詳細な説明】
【技術分野】
【０００１】
本発明は、雨水を中水あるいは上水として利用するための集水システムに関するものである。
【背景技術】
【０００２】
雨水を集めて上水や中水などに利用する方法は種々開発されている。
【０００３】
例えば、特許文献１には、屋根などに降った雨水を雨樋から地下に設けた集水ピットに溜め、この集水ピット内に設けた水中ポンプで雨水タンクに送水して貯留できるシステムが開示されている。このシステムにおいて、集水ピットには、水位が所定レベルに達すると水中ポンプを作動させ、集水ピットから雨水タンクへの送水を開始する作動手段が設けられ、雨水タンクには水位が所定レベルに達すると水中ポンプを停止させ、雨水タンクへの送水を停止する停止手段が設けられている。水中ポンプが停止すると、雨水は集水ピットから排水路を経由して従来の雨水処理系へ流水する。
【先行技術文献】
【特許文献】
【０００４】
【特許文献１】オーストラリア特許出願第２００７２３１８１２Ａ１号明細書
【発明の概要】
【発明が解決しようとする課題】
【０００５】
特許文献１に開示されているシステムでは、集水ピットの水位が設定レベルに達しない程度の少ない降雨量の場合、水中ポンプが作動せず、雨水タンクに貯水されない。また、水中ポンプの作動手段が集水ピットのみに設けられ、停止手段が雨水タンクのみに設けられているため、水中ポンプで集水ピットから雨水タンクへ送水を開始しても、降雨量があまり多くなく、停止手段が作動する設定水位に達する前に雨が止んでしまった場合に、水中ポンプが停止しない等の不都合が生ずる。
【課題を解決するための手段】
【０００６】
本発明は、上記課題を解決するべくなされたものであり、各戸の屋根や路面等から水処理設備の大型貯留タンクに雨水を集水する雨水集水システムにおいて、その途中に中継タンクと、中継タンクから大型貯留タンクに送水するポンプを設けるとともに、前記中継タンクに、タンク内の水位を検知し、それが任意に設定された上限値に到達した際に、前記ポンプの起動信号を前記ポンプの制御装置に送信する、および／または、それが任意に設定された下限値に到達した際に、前記ポンプの停止信号を前記ポンプの制御装置に送信する水位センサーを設け、かつ、大型貯留タンクに、タンク内の水位を検知し、それが任意に設定された上限値に到達した際に、前記ポンプの停止信号を前記ポンプの制御装置に送信する水位センサーを設けたことを特徴とする雨水集水システムによってかかる目的を達成したものである。
【発明の効果】
【０００７】
本発明により、地域に降った雨水を多少にかかわらず効率よく集水することができる。
【図面の簡単な説明】
【０００８】
【図１】本発明の雨水集水システムを略図で示したものである。
【発明を実施するための形態】
【０００９】
本発明の雨水集水システムは、地域に降った雨水を各戸の屋根や路面等から集めるものであり、全体を収容する大型貯留タンクと、屋根や路面に降った雨を一時貯える中継タンクが設けられる。
【００１０】
中継タンクの容積は通常０．１ＫＬ〜１０ＫＬ程度である。
【００１１】
大型貯留タンクの容積は、通常１００ＫＬ〜５０ＭＬ程度である。  本発明では、これらの中継タンク、大型貯留タンクに水位センサーを設ける。水位センサーは、上限、下限を検知するだけではなく、タンクに収容されている水位を検知できるものを用いる。
【００１２】
本発明の集水システムは、各タンクの水量を検知し、降雨時には、余裕のあるタンクへ送水して、全体として効率よく貯水できるようにするものである。
【００１３】
本発明の雨水集水システムを１戸について図１に示す。同図に示すように、屋根に降った雨は雨樋から垂直排水管を下降して地下排水管から中継タンクに入る。そして、そこに設けられた水位センサーと大型貯留タンクの水位センサーがそれぞれ水位を感知してポンプを作動させ、中継タンクの雨水を大型貯留タンクに送水する。
【産業上の利用可能性】
【００１４】
本発明の集水システムは、地域全体の貯留タンクを管理して降雨した雨水を多少にかかわらず効率よく貯蔵できるので、雨水を集水して利用する地域に幅広く利用できる。
【図１】
2011122348.tif 000003